(57)【要約】【課題】  本発明では、GPS受信部をもつ撮像装置において、気的接続が容易で、ユーザーにGPS受信部の位置をわかりやすくすることによって、GPS受信時にユーザーが受信部を手で覆うことなく、外観のデザイン自由度を確保したまま、高い確率でGPSから位置、時間情報を取得することが可能な撮像装置を提供することを目的とする。【解決手段】  製品天面に電波を遮蔽しやすい材質でできた外装カバーを持つ撮像装置において、前記外装カバーの一部に孔を空け、電波を遮蔽しにくい材質で別カバーを設け、別カバーの下に、GPS受信部を設ける。  別カバーの撮像装置把持側の少なくとも一部を、外装カバーよりも突出させる。  別カバーの少なくとも一部を導光部材にする。GPS受信部が実装された基板に、発光部を実装して、導光部に発光部の光が入射するようにする。  検出部を持ち、別カバーが押圧された場合に、押圧を検出させる。【選択図】  図１５
2011071740.tif 000002
【特許請求の範囲】
【請求項１】
外から入射したGPS電波が受信必要量内部に到達しない外装カバーを持つ撮像装置において、前記外装カバーの一部に孔を空け、外から入射したGPS電波が受信必要量内部に到達する別カバーによって多い、別カバーの内側に、GPS受信部を設けたことを特徴とする撮像装置。
【請求項２】
別カバーの少なくとも一部が、外装カバーよりも突出したことを特徴とする、請求項１に記載の撮像装置。
【請求項３】
別カバーの少なくとも一部が導光部材となっていることを特徴とする、請求項１または請求項２に記載の撮像装置。
【請求項４】
GPS受信部が実装された基板に、発光部が実装され、前記導光部に前記発光部の光が入射することを特徴とする、請求項３に記載の撮像装置。
【請求項５】
前記発光部は、前記GPS受信部がGPS電波を受信中に発光することを特徴とする、請求項４に記載の撮像装置。
【請求項６】
前記別カバーが押圧された場合に、押圧を検出することができる検出部を持つことを特徴とする、請求項１または請求項２に記載の撮像装置。
【請求項７】
GPS受信部が実装された基板に、検出部が実装されたことを特徴とする、請求項６に記載の撮像装置。
【請求項８】
前記センサにより、押圧が検出された場合に警告を発することを特徴とする、請求項６または請求項７に記載の撮像装置。
【発明の詳細な説明】
【技術分野】
【０００１】
本発明はGPSを搭載して、受信した測位情報から撮影者及び被写体の位置情報を算出して、利用するための撮像装置に関するものである。
【背景技術】
【０００２】
近年、撮像装置にGPS（Global Positioning System ）受信部を接続して、受信した測位情報をその撮像装置に送り、その情報から撮影者及び被写体の位置情報を記録媒体に記録して、利用できる技術がある。
【０００３】
上記撮像装置において、GPS受信部は、受信性能を確保する為に、天空に向ける必要がある。また、電波を遮蔽しやすいものに、受信部を遮られると、著しく受信性能が低下する。そのため、撮像装置の通常使用時に、上側に受信部を配置するのが望ましい。
【０００４】
撮像装置の天面のカバーは、使用時、非使用時と常に目に入る位置にあるため、外観デザイン向上のため、金属を使用することが多い。金属は、電波を著しく減衰する。このため、GPS電波は金属カバーを通しては、撮像装置内部にとどかない。
【０００５】
一方、撮像装置の小型化は年々、進んでいる。小型化した撮像装置においては、上部に配置できるスペースが限られる。さらに、撮像装置を使用者が把持した状態では、GPS受信部の周辺を人の手が握りこんでしまうことが考えられる。GPS受信部は、人体が近接すると、人体からのノイズの影響によって、受信精度が低下する。そのため、小型の撮像装置において、受信部を人の手に覆われたような状態では、人体からのノイズで、受信精度が低下し、位置情報を取得できないこともある。
【０００６】
GPSを撮像装置の上部に配置する提案としては、撮像装置のショルダーベルトの肩当にGPS受信部を配置したものがある。（特開2001-228527）この方法では、通常使用時に、GPS受信部が天空を向き、人体の影響も受けることは少ない。しかし、この方法では、ショルダーベルトを外すと使えない。フレキシブルなショルダーベルトの肩当まで、電気的接続をとるのが非常に困難である。といった問題があった。
【０００７】
GPSを撮像装置に配置するものとしては、非特許文献１に示すようなものもあった。しかし、この配置では、 GPS情報を取得する際に、いわゆる縦撮り方向にカメラを固定する必要があり、ユーザーの自由な撮影の妨げになっていた。
【０００８】
また、近年、撮像装置は小型化が進み、単純に製品天面に配置したのでは、通常使用時に、把持した使用者の手が、製品上部の大部分にかかってしまうことが考えられる。
【先行技術文献】
【特許文献】
【０００９】
【特許文献１】特開2001-228527号公報
【非特許文献】
【００１０】
【非特許文献１】「デジキャパ！」、2008年、第24巻11号、p50
【発明の概要】
【発明が解決しようとする課題】
【００１１】
本発明では、GPS受信部をもつ撮像装置において、電気的接続が容易で、ユーザーにGPS受信部の位置をわかりやすくすることによって、GPS受信時にユーザーが受信部を手で覆おうことなく、外観のデザイン自由度を確保したまま、高い確率でGPSから位置、時間情報を取得することが可能な撮像装置を提供することを目的とする。
【課題を解決するための手段】
【００１２】
製品天面に電波を遮蔽しやすい材質でできた外装カバーを持つ撮像装置において、前記外装カバーの一部に孔を空け、電波を遮蔽しにくい材質で別カバーを設け、別カバーの下に、GPS受信部を設ける。
【００１３】
別カバーの撮像装置把持側の少なくとも一部を、外装カバーよりも突出させる。
【００１４】
別カバーの少なくとも一部を導光部材にする。GPS受信部が実装された基板に、発光部を実装して、導光部に発光部の光が入射するようにする。
【００１５】
検出部を持ち、別カバーが押圧された場合に、押圧を検出させる。GPS受信部が実装された基板に、検出部を実装する。検出部により、押圧が検出された場合に警告を発する。
【発明の効果】
【００１６】
以上説明したように、本発明によれば、製品天面に電波を遮蔽しやすい材質でできた外装カバーを持つ撮像装置において、前記外装カバーの一部に孔を空け、電波を遮蔽しにくい材質で別カバーを設け、別カバーの下に、GPS受信部を設けることによって、別カバーを通して、GPS電波を受信することが可能になる。
【００１７】
別カバーの撮像装置把持側の少なくとも一部を、外装カバーよりも突出させることによって、ユーザーにGPS受信部の場所を明確に知らしめることができる。
【００１８】
別カバーの少なくとも一部を導光部材にすることによって、導光部材を光らせて、GPS受信状況をユーザーに知らせることができる。また、GPS受信部が実装された基板に、発光部を実装することによって、新たに基板を増やすことなく、発光部を追加できる。
【００１９】
検出部を持ち、別カバーが押圧された場合に、押圧を検出させることによって、GPS受信部の上が覆われていないかを調べることができる。GPS受信部が実装された基板に、検出部を実装することによって、新たに基板を増やすことなく、検出部を追加できる。また、センサにより、押圧が検出された場合に警告を発することによって、ユーザーにGPS受信部の上を覆うものの退避を促すことができる。
【図面の簡単な説明】
【００２０】
【図１】実施例１のビデオカメラの構成を示すブロック図。
【図２】実施例１のビデオカメラの後方（撮影者側）左側から見た外観斜視図。
【図３】実施例１のビデオカメラの表示部が開いた状態で、後方（撮影者側）左側から見た外観斜視図。
【図４】実施例１のビデオカメラでGPS受信部の配置された基板の概略図。
【図５】実施例１のビデオカメラでのGPS受信部の配置の概略図。
【図６】実施例２のビデオカメラの構成を示すブロック図。
【図７】実施例２のビデオカメラの後方（撮影者側）左側から見た外観斜視図。
【図８】実施例２のビデオカメラが開いた状態で把持した様子を、後方（撮影者側）左側から見た外観斜視図。
【図９】実施例２のビデオでのGPS受信部の配置された基板の概略図。
【図１０】実施例２ビデオでのGPS受信部の配置の概略図。
【図１１】実施例３のビデオカメラの構成を示すブロック図。
【図１２】実施例３のビデオカメラの後方（撮影者側）左側から見た外観斜視図。
【図１３】実施例３のビデオカメラの表示部が開いた状態で、後方（撮影者側）左側から見た外観斜視図。
【図１４】実施例３のビデオカメラでGPS受信部の配置された基板とバッジの概略図。
【図１５】実施例３のビデオカメラでのGPS受信部の配置の概略図。
【図１６】実施例３のビデオカメラの発光部のフローチャート。
【図１７】実施例４のビデオカメラの構成を示すブロック図。
【図１８】実施例４のビデオカメラの後方（撮影者側）左側から見た外観斜視図。
【図１９】実施例４のビデオカメラの表示部が開いた状態で、後方（撮影者側）左側から見た外観斜視図。
【図２０】実施例４のビデオカメラでGPS受信部の配置された基板とバッジの概略図。
【図２１】実施例４のビデオカメラでのGPS受信部の配置の概略図。
【図２２】実施例４のビデオカメラの検出部のフローチャート。
【発明を実施するための形態】
【００２１】
（実施例１）
以下、本発明の第１の実施形態について図面を参照しながら説明する。
【００２２】
図１は、本発明の第１の実施形態におけるビデオカメラの構成を示すブロック図、図２は本発明の第１の実施形態におけるビデオカメラの表示部が閉じた状態で、後方（撮影者側）左側から見た外観斜視図、図３は同ビデオカメラの表示部が開いた状態で、後方（撮影者側）左側から見た外観斜視図である。
【００２３】
ビデオカメラ本体100は、図１に示すように、フォーカス及びズーム等の光学制御系を含む光学レンズ群及び絞りからなるレンズ101、CCDなどの撮像素子を含む撮像部102、カメラ信号処理部103、圧縮伸張処理部104、表示部105、記録再生処理部106、カード制御部107、大容量内部メモリ制御部108、マイクロフォン109、音声信号処理部110、メモリ111、メモリ制御部112、CPU113、操作部114、デジタルI/F115、入出力部116、GPS受信部124、GPS信号処理部125、電源制御部117を備えている。
【００２４】
また、各機能ブロックはそれぞれデータバス118を介して互いにデータ通信可能に接続されている。
【００２５】
このようなビデオカメラ本体100において、メモリ111は、プログラム記憶領域とデータ作業領域を有し、データバス118を介して各機能ブロックでタイム・シェアリングして使用され、メモリ制御部112により制御及び管理されている。
【００２６】
CPU113は所定のプログラムを実行すること等により、ビデオカメラ本体100全体を統括制御する中央演算処理回路である。
【００２７】
操作部114は、図2及び図3の114a、114b、114c、114d、114e、114f、114g、114h、114i、114j、114k、114l、114m等の操作キーなどを有し、ユーザーからのキー操作などに基づいて、CPU113に対して動作指示する機能を有する。
【００２８】
ここで、各操作キーの機能について、図２及び図３を用いて説明する。
【００２９】
114a、114b、114c、114dは再生操作ボタンであり、114aは巻き戻しボタン、114bは早送りボタン、114cは再生/一時停止ボタン、114dは停止ボタンである。
【００３０】
114eはレンズの画角をワイド側又はテレ側に変化させるズーム操作を行うための静止画撮影ボタン、114fは静止画の記録を行う静止画撮影ボタンであり、半押しと全押し操作が可能な2段階スイッチである。
【００３１】
114gはメニュー表示のON/OFFの切替え等を行うメニューボタン、114hはメニューの選択・決定等を行う十字キー、114iは撮影時にホワイトバランスの設定を行うホワイトバランス設定ボタン、114jは撮影時に露出を設定する露出設定ボタンである。
【００３２】
114kは電源ダイヤルであり、回転動作することで電源オフ、撮影モード、再生モードを切り替えることが可能である。
【００３３】
114lは動画撮影ボタンであり、押圧動作することで、動画撮影のスタート/ストップを行うことが可能である。
【００３４】
114mは記録媒体切替えボタンであり、画像を記録する記録媒体を選択することが可能である。
【００３５】
デジタルI/F115は、例えばIEEE1394やUSB等の規格に従い信号を授受する。
【００３６】
メモリーカード119は、SDカードやコンパクトフラッシュ（登録商標）等の脱着式のフラッシュメモリーであり、撮影データ及び音声データが記録される。
【００３７】
電源制御部117は、バッテリ検出回路、DC-DCコンバータ、通電するブロックを切り替えるスイッチ回路等により構成されており、電池の装着の有無、電池の種類、電池残量の検出を行う。バッテリ123は、リチウムイオン電池等であり、ビデオカメラ本体100に電源を供給する。
【００３８】
GPS受信部124は、GPS衛星から位置と時間のデータを取得する。このデータは、GPS信号処理部125にて処理され、GPS受信部124の位置やその位置における時刻を算出する。この撮像装置では、算出した位置情報や時刻情報を画像データとともに大容量内部メモリ120またはメモリーカード119に書き込む。再生時には、この位置情報や時刻情報を参照することができ、データや記憶の整理に利用できる。
【００３９】
次に、本発明の第１の実施形態におけるビデオカメラの撮影動作及び記録動作、再生動作について説明する。
【００４０】
例えば、操作部114により撮影動作及び記録動作が指示された場合、被写体からの光は、レンズ101により所定の明るさ、画角、及びフォーカス等が制御された光学信号となって撮像部102に対して入力される。撮像部102は入力光学信号を電気信号に変換し、カメラ信号処理部103に出力する。カメラ信号処理部103はこの電気信号をデジタル画像信号に変換する。そして、この画像信号に対して、色分離、階調補正、及びホワイトバランス調整などの信号処理を施した後出力する。音声信号処理部110は、マイクロフォン109より入力された音声信号を所定レベルにゲインコントロールしてデジタル化することで、音声データとして出力する。
【００４１】
圧縮伸張処理部104は、カメラ信号処理部103から出力された画像データ及び音声信号処理部110から出力された音声データを所定の圧縮符号化方式により圧縮符号化する。表示部105は、圧縮伸張処理部104で圧縮符号化対象の撮影データを表示する。また、表示部105は、必要に応じてビデオカメラ本体100の動作状況をオンスクリーン・ディスプレイ情報として表示する。
【００４２】
記録再生処理部106は、圧縮伸張処理部104で得られた圧縮符号化後のデータに対して、エラー訂正符号化処理や変調処理等を施し、更に同期、ID、GPS受信部124及びGPS信号処理部125から算出した位置情報や時刻情報などのデータを付加して記録に適した形態に変換した後、大容量内部メモリ120あるいはメモリーカード119等の記録媒体に記録する。この際、大容量内部メモリ制御部108は大容量内部メモリ120の記録制御を、カード制御部107はメモリーカード119の記録制御をおこなう。
【００４３】
一方、操作部114により再生動作が指示された場合、記録再生処理部106は、大容量内部メモリ120またはメモリーカード119から読み出したデータから元のデジタルデータを検出し、エラー訂正及び復調等の処理を施す。また、PLL回路によりこの再生データに同期したクロックを生成する。
【００４４】
圧縮伸張処理部104は、記録再生処理部106より出力されたデータに対して、所定の圧縮符号化方式に対応した伸張処理を施し、圧縮符号化前の撮影データ及び音声データを取得する。表示部105は、圧縮伸張処理部104で得られた再生データを表示する。
【００４５】
また操作部114によりデジタルI/F115からの入力データを記録する指示があった場合、CPU113はデジタルI/F115により、外部装置121からの画像データあるいは音声データをデジタル信号の状態で入力し、記録再生処理部106に送る。この際、外部装置121からの画像データ、音声データは既に符号化されているものとし、記録再生処理部106は前述のようにこの入力データに対して記録に必要な処理を施して大容量内部メモリ120やメモリーカード119などの記録媒体に記録する。
【００４６】
また操作部114により、入出力部116からの入力信号を記録する指示があった場合、CPU113は入出力部116を制御し、外部装置122から出力された画像、音声信号を入力する。入出力部116は外部装置122から出力された画像、音声信号をデジタルデータに変換してメモリ111に出力する。CPU113はこのメモリ111に記憶された画像、音声データを圧縮伸張処理部104に出力して圧縮符号化し、記録再生処理部106に送る。記録再生処理部106は前述の様にこの符号化されたデータに対して記録に必要な処理を施して大容量内部メモリ120やメモリーカード119などの記録媒体に記録する。
【００４７】
図２に示すように、この撮像装置は、天面の外装カバー202に孔があり、バッジ201がはめ込まれている。外装カバー202は金属でできているため、電波を著しく減衰する。このため、GPS電波は、外装カバー202を通しては、撮像装置100内部にとどかない。一方、バッジ201はプラスチックでできているため、電波の減衰は少ない。このため、GPS電波は、バッジ201を通して、撮像装置100内部に入射する。
【００４８】
GPS受信部124は、図４に示すように、基板401に取り付けられている。基板からはコネクタ、FPCなどを介して、CPU113のある基板に容易に接続が可能である。また、基板401自体がフレキシブル基板でも良い。この基板401は撮像装置本体100内では、図５に示すような位置に配置されている。バッジ201の範囲は、GPS受信部124の受信範囲にかかるように、配置されている。このため、バッジ201を通ったGPS電波をGPS受信部124は受信することができる。バッジ201の材質は、プラスチックに限らず、電波を通しやすい材質であればよい。例えば、プラスチックに金属蒸着を施したものも、電波の減衰が小さいため、使用できる。また、外装カバー202の材質も、金属に限らず、電波を通しにくい材質すべてにあてはまる。例えば、プラスチックにめっきの施されたカバーが考えられる。
【００４９】
また、バッジ201上に、 GPS受信部124が、バッジの下に配置されていることを示す表示を行う。これによって、ユーザーが、GPS受信部124の位置を把握することができる。GPSが配置されている表示と併せて、受信中に、バッジの上に、ユーザーの手が触れないような警告を表示することによって、GPS受信中に、ユーザーがGPS受信部124の上から、自主的に、手を退避することを促すことができ、人体からのノイズの影響によって、受信精度が低下することを防げる。GPS受信時には、表示部105に、GPS受信中であることと、バッジ上から手を退避するよう促す警告を発してもよい。これによって、より確実に、ユーザーの手を受信範囲から退避させ、人体からのノイズの影響を軽減することができる。
【００５０】
このように、本実施例の撮像装置では、デザインを損なうことなく、電気的接続が容易で、ユーザーにGPS受信部の位置がわかりやすく、高い確率でGPSから位置、時間情報を取得することが可能となる。
【００５１】
（実施例２）
以下、本発明の第２の実施形態について図面を参照しながら説明する。
【００５２】
図６は、本発明の第２の実施形態におけるビデオカメラの構成を示すブロック図、図７は本発明の第２の実施形態におけるビデオカメラの表示部が閉じた状態で、後方（撮影者側）左側から見た外観斜視図、図８は同ビデオカメラの表示部が開いた状態で、後方（撮影者側）左側から見た外観斜視図である。
【００５３】
ビデオカメラ本体600は、図６に示すように、フォーカス及びズーム等の光学制御系を含む光学レンズ群及び絞りからなるレンズ601、CCDなどの撮像素子を含む撮像部602、カメラ信号処理部603、圧縮伸張処理部604、表示部605、記録再生処理部606、カード制御部607、大容量内部メモリ制御部608、マイクロフォン609、音声信号処理部610、メモリ611、メモリ制御部612、CPU613、操作部614、デジタルI/F115、入出力部616、GPS受信部624、GPS信号処理部625、電源制御部617を備えている。
【００５４】
また、各機能ブロックはそれぞれデータバス618を介して互いにデータ通信可能に接続されている。
【００５５】
このようなビデオカメラ本体600において、メモリ611は、プログラム記憶領域とデータ作業領域を有し、データバス618を介して各機能ブロックでタイム・シェアリングして使用され、メモリ制御部612により制御及び管理されている。
【００５６】
CPU613は所定のプログラムを実行すること等により、ビデオカメラ本体600全体を統括制御する中央演算処理回路である。
【００５７】
操作部614は、図７及び図８の614a、614b、614c、614d、614e、614f、614g、614h、614i、614j、614k、614l、614m等の操作キーなどを有し、ユーザーからのキー操作などに基づいて、CPU613に対して動作指示する機能を有する。
【００５８】
ここで、各操作キーの機能について、図７及び図８を用いて説明する。
【００５９】
614a、614b、614c、614dは再生操作ボタンであり、614aは巻き戻しボタン、614bは早送りボタン、614cは再生/一時停止ボタン、614dは停止ボタンである。
【００６０】
614eはレンズの画角をワイド側又はテレ側に変化させるズーム操作を行うための静止画撮影ボタン、614fは静止画の記録を行う静止画撮影ボタンであり、半押しと全押し操作が可能な2段階スイッチである。
【００６１】
614gはメニュー表示のON/OFFの切替え等を行うメニューボタン、614hはメニューの選択・決定等を行う十字キー、614iは撮影時にホワイトバランスの設定を行うホワイトバランス設定ボタン、614jは撮影時に露出を設定する露出設定ボタンである。
【００６２】
614kは電源ダイヤルであり、回転動作することで電源オフ、撮影モード、再生モードを切り替えることが可能である。
【００６３】
614lは動画撮影ボタンであり、押圧動作することで、動画撮影のスタート/ストップを行うことが可能である。
【００６４】
614mは記録媒体切替えボタンであり、画像を記録する記録媒体を選択することが可能である。
【００６５】
デジタルI/F115は、例えばIEEE1394やUSB等の規格に従い信号を授受する。
【００６６】
メモリーカード619は、SDカードやコンパクトフラッシュ（登録商標）等の脱着式のフラッシュメモリーであり、撮影データ及び音声データが記録される。
【００６７】
電源制御部617は、バッテリ検出回路、DC-DCコンバータ、通電するブロックを切り替えるスイッチ回路等により構成されており、電池の装着の有無、電池の種類、電池残量の検出を行う。バッテリ623は、リチウムイオン電池等であり、ビデオカメラ本体600に電源を供給する。
【００６８】
GPS受信部624は、GPS衛星から位置と時間のデータを取得する。このデータは、GPS信号処理部625にて処理され、GPS受信部624の位置やその位置における時刻を算出する。この撮像装置では、算出した位置情報や時刻情報を画像データとともに大容量内部メモリ620またはメモリーカード619に書き込む。再生時には、この位置情報や時刻情報を参照することができ、データや記憶の整理に利用できる。
【００６９】
次に、本発明の第２の実施形態におけるビデオカメラの撮影動作及び記録動作、再生動作について説明する。
【００７０】
例えば、操作部614により撮影動作及び記録動作が指示された場合、被写体からの光は、レンズ601により所定の明るさ、画角、及びフォーカス等が制御された光学信号となって撮像部602に対して入力される。撮像部602は入力光学信号を電気信号に変換し、カメラ信号処理部603に出力する。カメラ信号処理部603はこの電気信号をデジタル画像信号に変換する。そして、この画像信号に対して、色分離、階調補正、及びホワイトバランス調整などの信号処理を施した後出力する。音声信号処理部610は、マイクロフォン609より入力された音声信号を所定レベルにゲインコントロールしてデジタル化することで、音声データとして出力する。
【００７１】
圧縮伸張処理部604は、カメラ信号処理部603から出力された画像データ及び音声信号処理部610から出力された音声データを所定の圧縮符号化方式により圧縮符号化する。表示部605は、圧縮伸張処理部604で圧縮符号化対象の撮影データを表示する。また、表示部605は、必要に応じてビデオカメラ本体600の動作状況をオンスクリーン・ディスプレイ情報として表示する。
【００７２】
記録再生処理部606は、圧縮伸張処理部604で得られた圧縮符号化後のデータに対して、エラー訂正符号化処理や変調処理等を施し、更に同期、ID、GPS受信部624及びGPS信号処理部625から算出した位置情報や時刻情報などのデータを付加して記録に適した形態に変換した後、大容量内部メモリ620あるいはメモリーカード619等の記録媒体に記録する。この際、大容量内部メモリ制御部608は大容量内部メモリ620の記録制御を、カード制御部607はメモリーカード619の記録制御をおこなう。
【００７３】
一方、操作部614により再生動作が指示された場合、記録再生処理部606は、大容量内部メモリ620またはメモリーカード619から読み出したデータから元のデジタルデータを検出し、エラー訂正及び復調等の処理を施す。また、PLL回路によりこの再生データに同期したクロックを生成する。
【００７４】
圧縮伸張処理部604は、記録再生処理部606より出力されたデータに対して、所定の圧縮符号化方式に対応した伸張処理を施し、圧縮符号化前の撮影データ及び音声データを取得する。表示部605は、圧縮伸張処理部604で得られた再生データを表示する。
【００７５】
また操作部614によりデジタルI/F115からの入力データを記録する指示があった場合、CPU613はデジタルI/F115により、外部装置621からの画像データあるいは音声データをデジタル信号の状態で入力し、記録再生処理部606に送る。この際、外部装置621からの画像データ、音声データは既に符号化されているものとし、記録再生処理部606は前述のようにこの入力データに対して記録に必要な処理を施して大容量内部メモリ620やメモリーカード619などの記録媒体に記録する。
【００７６】
また操作部614により、入出力部616からの入力信号を記録する指示があった場合、CPU613は入出力部616を制御し、外部装置622から出力された画像、音声信号を入力する。入出力部616は外部装置622から出力された画像、音声信号をデジタルデータに変換してメモリ611に出力する。CPU613はこのメモリ611に記憶された画像、音声データを圧縮伸張処理部604に出力して圧縮符号化し、記録再生処理部606に送る。記録再生処理部606は前述の様にこの符号化されたデータに対して記録に必要な処理を施して大容量内部メモリ620やメモリーカード619などの記録媒体に記録する。
【００７７】
図７に示すように、この撮像装置は、天面の外装カバー702に孔があり、突出部701aをもつバッジ701がはめ込まれている。外装カバー702は金属でできているため、電波を著しく減衰する。このため、GPS電波は、外装カバー702を通しては、撮像装置100内部にとどかない。一方、バッジ701はプラスチックでできているため、電波の減衰は少ない。このため、GPS電波は、バッジ701を通して、撮像装置100内部に入射する。
【００７８】
GPS受信部624は、図９に示すように、基板901に取り付けられている。基板からはコネクタ、FPCなどを介して、CPU613のある基板に容易に接続が可能である。また、基板901自体がフレキシブル基板でも良い。この基板901は撮像装置本体600内では、図１０に示すような位置に配置されている。バッジ701の範囲は、GPS受信部624の受信範囲にかかるように、配置されている。このため、バッジ701を通ったGPS電波をGPS受信部624は受信することができる。バッジ701の材質は、プラスチックに限らず、電波を通しやすい材質であればよい。例えば、プラスチックに金属蒸着を施したものも、電波の減衰が小さいため、使用できる。また、外装カバー702の材質も、金属に限らず、電波を通しにくい材質すべてにあてはまる。例えば、プラスチックにめっきの施されたカバーが考えられる。
【００７９】
突出部701aは、カバー702よりも突出している。単純に把持して、突出部701aを握りこむと、カバー702よりも突出しているため違和感がある。突出部701aを設けることによって、ユーザーに触覚的にGPS受信部624の場所を知らせることができる。これにより、ユーザーがビデオカメラ600を把持する際に、図８に示すように、突出部を避けて把持するように促すことができる。
【００８０】
また、バッジ701上に、 GPS受信部624が、バッジの下に配置されていることを示す表示を行う。これによって、ユーザーが、GPS受信部624の位置を把握することができる。GPSが配置されている表示と併せて、受信中に、バッジの上に、ユーザーの手が触れないような警告を表示することによって、GPS受信中に、ユーザーがGPS受信部624の上から、自主的に、手を退避することを促すことができ、人体からのノイズの影響によって、受信精度が低下することを防げる。GPS受信時には、表示部605に、GPS受信中であることと、バッジ上から手を退避するよう促す警告を発してもよい。これによって、より確実に、ユーザーの手を受信範囲から退避させ、人体からのノイズの影響を軽減することができる。
【００８１】
このように、本実施例の撮像装置では、デザインを損なうことなく、電気的接続が容易で、ユーザーにGPS受信部の位置がわかりやすく、高い確率でGPSから位置、時間情報を取得することが可能となる。
【００８２】
（実施例３）
以下、本発明の第３の実施形態について図面を参照しながら説明する。
【００８３】
図１１は、本発明の第３の実施形態におけるビデオカメラの構成を示すブロック図、図１２は本発明の第３の実施形態におけるビデオカメラの表示部が閉じた状態で、後方（撮影者側）左側から見た外観斜視図、図１３は同ビデオカメラの表示部が開いた状態で、後方（撮影者側）左側から見た外観斜視図である。
【００８４】
ビデオカメラ本体1100は、図１１に示すように、フォーカス及びズーム等の光学制御系を含む光学レンズ群及び絞りからなるレンズ1101、CCDなどの撮像素子を含む撮像部1102、カメラ信号処理部1103、圧縮伸張処理部1104、表示部1105、記録再生処理部1106、カード制御部1107、大容量内部メモリ制御部1108、マイクロフォン1109、音声信号処理部1110、メモリ1111、メモリ制御部1112、CPU1113、操作部1114、デジタルI/F115、入出力部1116、GPS受信部1124、GPS信号処理部1125、LED発光部1126、電源制御部1117を備えている。
【００８５】
また、各機能ブロックはそれぞれデータバス1118を介して互いにデータ通信可能に接続されている。
【００８６】
このようなビデオカメラ本体1100において、メモリ1111は、プログラム記憶領域とデータ作業領域を有し、データバス1118を介して各機能ブロックでタイム・シェアリングして使用され、メモリ制御部1112により制御及び管理されている。
【００８７】
CPU1113は所定のプログラムを実行すること等により、ビデオカメラ本体1100全体を統括制御する中央演算処理回路である。
【００８８】
操作部1114は、図2及び図3の1114a、1114b、1114c、1114d、1114e、1114f、1114g、1114h、1114i、1114j、1114k、1114l、1114m等の操作キーなどを有し、ユーザーからのキー操作などに基づいて、CPU1113に対して動作指示する機能を有する。
【００８９】
ここで、各操作キーの機能について、図１２及び図１３を用いて説明する。
【００９０】
1114a、1114b、1114c、1114dは再生操作ボタンであり、1114aは巻き戻しボタン、1114bは早送りボタン、1114cは再生/一時停止ボタン、1114dは停止ボタンである。
【００９１】
1114eはレンズの画角をワイド側又はテレ側に変化させるズーム操作を行うための静止画撮影ボタン、1114fは静止画の記録を行う静止画撮影ボタンであり、半押しと全押し操作が可能な2段階スイッチである。
【００９２】
1114gはメニュー表示のON/OFFの切替え等を行うメニューボタン、1114hはメニューの選択・決定等を行う十字キー、1114iは撮影時にホワイトバランスの設定を行うホワイトバランス設定ボタン、1114jは撮影時に露出を設定する露出設定ボタンである。
【００９３】
1114kは電源ダイヤルであり、回転動作することで電源オフ、撮影モード、再生モードを切り替えることが可能である。
【００９４】
1114lは動画撮影ボタンであり、押圧動作することで、動画撮影のスタート/ストップを行うことが可能である。
【００９５】
1114mは記録媒体切替えボタンであり、画像を記録する記録媒体を選択することが可能である。
【００９６】
デジタルI/F115は、例えばIEEE1394やUSB等の規格に従い信号を授受する。
【００９７】
メモリーカード1119は、SDカードやコンパクトフラッシュ（登録商標）等の脱着式のフラッシュメモリーであり、撮影データ及び音声データが記録される。
【００９８】
電源制御部1117は、バッテリ検出回路、DC-DCコンバータ、通電するブロックを切り替えるスイッチ回路等により構成されており、電池の装着の有無、電池の種類、電池残量の検出を行う。バッテリ1123は、リチウムイオン電池等であり、ビデオカメラ本体1100に電源を供給する。
【００９９】
GPS受信部1124は、GPS衛星から位置と時間のデータを取得する。このデータは、GPS信号処理部1125にて処理され、GPS受信部1124の位置やその位置における時刻を算出する。この撮像装置では、算出した位置情報や時刻情報を画像データとともに大容量内部メモリ1120またはメモリーカード1119に書き込む。再生時には、この位置情報や時刻情報を参照することができ、データや記憶の整理に利用できる。GPS電波受信時には、LED発光部1126が発光することによって、ユーザーにGPS電波受信中であることを知らせる。
【０１００】
次に、本発明の第３の実施形態におけるビデオカメラの撮影動作及び記録動作、再生動作について説明する。
【０１０１】
例えば、操作部1114により撮影動作及び記録動作が指示された場合、被写体からの光は、レンズ1101により所定の明るさ、画角、及びフォーカス等が制御された光学信号となって撮像部1102に対して入力される。撮像部1102は入力光学信号を電気信号に変換し、カメラ信号処理部1103に出力する。カメラ信号処理部1103はこの電気信号をデジタル画像信号に変換する。そして、この画像信号に対して、色分離、階調補正、及びホワイトバランス調整などの信号処理を施した後出力する。音声信号処理部1110は、マイクロフォン1109より入力された音声信号を所定レベルにゲインコントロールしてデジタル化することで、音声データとして出力する。
【０１０２】
圧縮伸張処理部1104は、カメラ信号処理部1103から出力された画像データ及び音声信号処理部1110から出力された音声データを所定の圧縮符号化方式により圧縮符号化する。表示部1105は、圧縮伸張処理部1104で圧縮符号化対象の撮影データを表示する。また、表示部1105は、必要に応じてビデオカメラ本体1100の動作状況をオンスクリーン・ディスプレイ情報として表示する。
【０１０３】
記録再生処理部1106は、圧縮伸張処理部1104で得られた圧縮符号化後のデータに対して、エラー訂正符号化処理や変調処理等を施し、更に同期、ID、GPS受信部1124及びGPS信号処理部1125から算出した位置情報や時刻情報などのデータを付加して記録に適した形態に変換した後、大容量内部メモリ1120あるいはメモリーカード1119等の記録媒体に記録する。この際、大容量内部メモリ制御部1108は大容量内部メモリ1120の記録制御を、カード制御部1107はメモリーカード1119の記録制御をおこなう。
【０１０４】
一方、操作部1114により再生動作が指示された場合、記録再生処理部1106は、大容量内部メモリ1120またはメモリーカード1119から読み出したデータから元のデジタルデータを検出し、エラー訂正及び復調等の処理を施す。また、PLL回路によりこの再生データに同期したクロックを生成する。
【０１０５】
圧縮伸張処理部1104は、記録再生処理部1106より出力されたデータに対して、所定の圧縮符号化方式に対応した伸張処理を施し、圧縮符号化前の撮影データ及び音声データを取得する。表示部1105は、圧縮伸張処理部1104で得られた再生データを表示する。
【０１０６】
また操作部1114によりデジタルI/F115からの入力データを記録する指示があった場合、CPU1113はデジタルI/F115により、外部装置1121からの画像データあるいは音声データをデジタル信号の状態で入力し、記録再生処理部1106に送る。この際、外部装置1121からの画像データ、音声データは既に符号化されているものとし、記録再生処理部1106は前述のようにこの入力データに対して記録に必要な処理を施して大容量内部メモリ1120やメモリーカード1119などの記録媒体に記録する。
【０１０７】
また操作部1114により、入出力部1116からの入力信号を記録する指示があった場合、CPU1113は入出力部1116を制御し、外部装置1122から出力された画像、音声信号を入力する。入出力部1116は外部装置1122から出力された画像、音声信号をデジタルデータに変換してメモリ1111に出力する。CPU1113はこのメモリ1111に記憶された画像、音声データを圧縮伸張処理部1104に出力して圧縮符号化し、記録再生処理部1106に送る。記録再生処理部1106は前述の様にこの符号化されたデータに対して記録に必要な処理を施して大容量内部メモリ1120やメモリーカード1119などの記録媒体に記録する。
【０１０８】
図１２に示すように、この撮像装置は、天面の外装カバー1202に孔があり、バッジ1201がはめ込まれている。外装カバー1202は金属でできているため、電波を著しく減衰する。このため、GPS電波は、外装カバー1202を通しては、撮像装置1100内部にとどかない。一方、バッジ1201はプラスチックでできているため、電波の減衰は少ない。このため、GPS電波は、バッジ1201を通して、撮像装置1100内部に入射する。
【０１０９】
GPS受信部1124は、図１４に示すように、基板1401に取り付けられている。基板からはコネクタ、FPCなどを介して、CPU1113のある基板に容易に接続が可能である。また、基板1401自体がフレキシブル基板でも良い。バッジ1201には、導光部1201aが設けられている。LED発光部1126が発光すると、導光部1201aに光が入射して、バッジ1201が光る。
【０１１０】
この基板1401は撮像装置本体1100内では、図１５に示すような位置に配置されている。バッジ1201の範囲は、GPS受信部1124の受信範囲にかかるように、配置されている。このため、バッジ1201を通ったGPS電波をGPS受信部1124は受信することができる。バッジ1201の材質は、プラスチックに限らず、電波を通しやすい材質であればよい。例えば、プラスチックに金属蒸着を施したものも、電波の減衰が小さいため、使用できる。また、外装カバー1202の材質も、金属に限らず、電波を通しにくい材質すべてにあてはまる。例えば、プラスチックにめっきの施されたカバーが考えられる。
【０１１１】
LED発光部1126は図１６のフローチャートに示すように動作する。まず、STEP1601で、GPS受信中であるか否かを調べる。GPS受信中であった場合は、STPE1602に進み、LED発光部1126を点灯させる。STEP1601でGPS受信中でなかったら、STEP1603に進み、LED発光部1126を消灯させる。STPE1602、STEP1603の処理が終わったら、STEP1601に戻り、GPS受信中であるか調べる。LED発光部1126が発光することによって、ユーザーにGPS受信中であることを知らせることができる。バッジの発光範囲は、全体でもよいが、バッジの一部を塗装や蒸着などして、光を遮り、バッジの一部のみ光るようにしてもよい。
【０１１２】
また、バッジ1201上に、 GPS受信部1124が、バッジの下に配置されていることを示す表示を行う。これによって、ユーザーが、GPS受信部1124の位置を把握することができる。GPSが配置されている表示と併せて、受信中に、バッジの上に、ユーザーの手が触れないような警告を表示することによって、GPS受信中に、ユーザーがGPS受信部1124の上から、自主的に、手を退避することを促すことができ、人体からのノイズの影響によって、受信精度が低下することを防げる。GPS受信時には、表示部1105に、GPS受信中であることと、バッジ上から手を退避するよう促す警告を発してもよい。これによって、より確実に、ユーザーの手を受信範囲から退避させ、人体からのノイズの影響を軽減することができる。
【０１１３】
このように、本実施例の撮像装置では、デザインを損なうことなく、電気的接続が容易で、ユーザーにGPS受信部の位置がわかりやすく、高い確率でGPSから位置、時間情報を取得することが可能となる。
【０１１４】
（実施例４）
以下、本発明の第４の実施形態について図面を参照しながら説明する。
【０１１５】
図１７は、本発明の第４の実施形態におけるビデオカメラの構成を示すブロック図、図１８は本発明の第４の実施形態におけるビデオカメラの表示部が閉じた状態で、後方（撮影者側）左側から見た外観斜視図、図１９は同ビデオカメラの表示部が開いた状態で、後方（撮影者側）左側から見た外観斜視図である。
【０１１６】
ビデオカメラ本体1700は、図１７に示すように、フォーカス及びズーム等の光学制御系を含む光学レンズ群及び絞りからなるレンズ1701、CCDなどの撮像素子を含む撮像部1702、カメラ信号処理部1703、圧縮伸張処理部1704、表示部1705、記録再生処理部1706、カード制御部1707、大容量内部メモリ制御部1708、マイクロフォン1709、音声信号処理部1710、メモリ1711、メモリ制御部1712、CPU1713、操作部1714、デジタルI/F175、入出力部1716、GPS受信部1724、GPS信号処理部1725、検出部1726、電源制御部1717を備えている。
【０１１７】
また、各機能ブロックはそれぞれデータバス1718を介して互いにデータ通信可能に接続されている。
【０１１８】
このようなビデオカメラ本体1700において、メモリ1711は、プログラム記憶領域とデータ作業領域を有し、データバス1718を介して各機能ブロックでタイム・シェアリングして使用され、メモリ制御部1712により制御及び管理されている。
【０１１９】
CPU1713は所定のプログラムを実行すること等により、ビデオカメラ本体1700全体を統括制御する中央演算処理回路である。
【０１２０】
操作部1714は、図2及び図3の1714a、1714b、1714c、1714d、1714e、1714f、1714g、1714h、1714i、1714j、1714k、1714l、1714m等の操作キーなどを有し、ユーザーからのキー操作などに基づいて、CPU1713に対して動作指示する機能を有する。
【０１２１】
ここで、各操作キーの機能について、図１８及び図１９を用いて説明する。
【０１２２】
1714a、1714b、1714c、1714dは再生操作ボタンであり、1714aは巻き戻しボタン、1714bは早送りボタン、1714cは再生/一時停止ボタン、1714dは停止ボタンである。
【０１２３】
1714eはレンズの画角をワイド側又はテレ側に変化させるズーム操作を行うための静止画撮影ボタン、1714fは静止画の記録を行う静止画撮影ボタンであり、半押しと全押し操作が可能な2段階スイッチである。
【０１２４】
1714gはメニュー表示のON/OFFの切替え等を行うメニューボタン、1714hはメニューの選択・決定等を行う十字キー、1714iは撮影時にホワイトバランスの設定を行うホワイトバランス設定ボタン、1714jは撮影時に露出を設定する露出設定ボタンである。
【０１２５】
1714kは電源ダイヤルであり、回転動作することで電源オフ、撮影モード、再生モードを切り替えることが可能である。
【０１２６】
1714lは動画撮影ボタンであり、押圧動作することで、動画撮影のスタート/ストップを行うことが可能である。
【０１２７】
1714mは記録媒体切替えボタンであり、画像を記録する記録媒体を選択することが可能である。
【０１２８】
デジタルI/F115は、例えばIEEE1394やUSB等の規格に従い信号を授受する。
【０１２９】
メモリーカード1719は、SDカードやコンパクトフラッシュ（登録商標）等の脱着式のフラッシュメモリーであり、撮影データ及び音声データが記録される。
【０１３０】
電源制御部1717は、バッテリ検出回路、DC-DCコンバータ、通電するブロックを切り替えるスイッチ回路等により構成されており、電池の装着の有無、電池の種類、電池残量の検出を行う。バッテリ1723は、リチウムイオン電池等であり、ビデオカメラ本体1700に電源を供給する。
【０１３１】
GPS受信部1724は、GPS衛星から位置と時間のデータを取得する。このデータは、GPS信号処理部1725にて処理され、GPS受信部1724の位置やその位置における時刻を算出する。この撮像装置では、算出した位置情報や時刻情報を画像データとともに大容量内部メモリ1720またはメモリーカード1719に書き込む。再生時には、この位置情報や時刻情報を参照することができ、データや記憶の整理に利用できる。
【０１３２】
次に、本発明の第４の実施形態におけるビデオカメラの撮影動作及び記録動作、再生動作について説明する。
【０１３３】
例えば、操作部1714により撮影動作及び記録動作が指示された場合、被写体からの光は、レンズ1701により所定の明るさ、画角、及びフォーカス等が制御された光学信号となって撮像部1702に対して入力される。撮像部1702は入力光学信号を電気信号に変換し、カメラ信号処理部1703に出力する。カメラ信号処理部1703はこの電気信号をデジタル画像信号に変換する。そして、この画像信号に対して、色分離、階調補正、及びホワイトバランス調整などの信号処理を施した後出力する。音声信号処理部1710は、マイクロフォン1709より入力された音声信号を所定レベルにゲインコントロールしてデジタル化することで、音声データとして出力する。
【０１３４】
圧縮伸張処理部1704は、カメラ信号処理部1703から出力された画像データ及び音声信号処理部1710から出力された音声データを所定の圧縮符号化方式により圧縮符号化する。表示部1705は、圧縮伸張処理部1704で圧縮符号化対象の撮影データを表示する。また、表示部1705は、必要に応じてビデオカメラ本体1700の動作状況をオンスクリーン・ディスプレイ情報として表示する。
【０１３５】
記録再生処理部1706は、圧縮伸張処理部1704で得られた圧縮符号化後のデータに対して、エラー訂正符号化処理や変調処理等を施し、更に同期、ID、GPS受信部1724及びGPS信号処理部1725から算出した位置情報や時刻情報などのデータを付加して記録に適した形態に変換した後、大容量内部メモリ1720あるいはメモリーカード1719等の記録媒体に記録する。この際、大容量内部メモリ制御部1708は大容量内部メモリ1720の記録制御を、カード制御部1707はメモリーカード1719の記録制御をおこなう。
【０１３６】
一方、操作部1714により再生動作が指示された場合、記録再生処理部1706は、大容量内部メモリ1720またはメモリーカード1719から読み出したデータから元のデジタルデータを検出し、エラー訂正及び復調等の処理を施す。また、PLL回路によりこの再生データに同期したクロックを生成する。
【０１３７】
圧縮伸張処理部1704は、記録再生処理部1706より出力されたデータに対して、所定の圧縮符号化方式に対応した伸張処理を施し、圧縮符号化前の撮影データ及び音声データを取得する。表示部1705は、圧縮伸張処理部1704で得られた再生データを表示する。
【０１３８】
また操作部1714によりデジタルI/F175からの入力データを記録する指示があった場合、CPU1713はデジタルI/F175により、外部装置1721からの画像データあるいは音声データをデジタル信号の状態で入力し、記録再生処理部1706に送る。この際、外部装置1721からの画像データ、音声データは既に符号化されているものとし、記録再生処理部1706は前述のようにこの入力データに対して記録に必要な処理を施して大容量内部メモリ1720やメモリーカード1719などの記録媒体に記録する。
【０１３９】
また操作部1714により、入出力部1716からの入力信号を記録する指示があった場合、CPU1713は入出力部1716を制御し、外部装置1722から出力された画像、音声信号を入力する。入出力部1716は外部装置1722から出力された画像、音声信号をデジタルデータに変換してメモリ1711に出力する。CPU1713はこのメモリ1711に記憶された画像、音声データを圧縮伸張処理部1704に出力して圧縮符号化し、記録再生処理部1706に送る。記録再生処理部1706は前述の様にこの符号化されたデータに対して記録に必要な処理を施して大容量内部メモリ1720やメモリーカード1719などの記録媒体に記録する。
【０１４０】
図１８に示すように、この撮像装置は、天面の外装カバー1802に孔があり、バッジ1801がはめ込まれている。外装カバー1802は金属でできているため、電波を著しく減衰する。このため、GPS電波は、外装カバー1802を通しては、撮像装置1700内部にとどかない。一方、バッジ1801はプラスチックでできているため、電波の減衰は少ない。このため、GPS電波は、バッジ1801を通して、撮像装置1700内部に入射する。
【０１４１】
GPS受信部1724は、図２０に示すように、基板2001に取り付けられている。基板からはコネクタ、FPCなどを介して、CPU1713のある基板に容易に接続が可能である。また、基板2001自体がフレキシブル基板でも良い。バッジ1801には、SW操作部1801a、バネ部1801b、本体取り付け部1801cが設けられている。 バッジ1801は本体取り付け部1801c によって、ビデオカメラ本体1700に取り付けられている。バッジ1801は、バネ部1801bによって、外装カバー1802に押し付けられている。SW操作部1801aは検出部1726を操作する。バッジ1801が押圧されると、SW操作部1801aにより検出部1726が押し込まれ、押圧が検出される。バッジ1801への押圧が止まると、バネ部1801b によって、バッジ1801は外装カバー1802に押し付けられ、SW操作部1801aが検出部1726から、離れ、SWが復帰する。
【０１４２】
この基板2001は撮像装置本体1700内では、図２１に示すような位置に配置されている。バッジ1801の範囲は、GPS受信部1724の受信範囲にかかるように、配置されている。このため、バッジ1801を通ったGPS電波をGPS受信部1724は受信することができる。バッジ1801の材質は、プラスチックに限らず、電波を通しやすい材質であればよい。例えば、プラスチックに金属蒸着を施したものも、電波の減衰が小さいため、使用できる。また、外装カバー1802の材質も、金属に限らず、電波を通しにくい材質すべてにあてはまる。例えば、プラスチックにめっきの施されたカバーが考えられる。
【０１４３】
GPS受信中にバッジ1801に対する押圧が検出されると、表示部1705に警告を表示する。図２２のフローチャートに警告表示のフローを示す。まず、STEP2201で、GPS受信中であるか否かを調べる。GPS受信中であった場合は、STEP2202に進む。STEP2201でGPS受信中でなかったら、STEP2204に進み、表示部1705の警告表示を非表示にする。STEP2202では、検出部がONかOFFかを調べる。STEP2202では、検出部がONの場合は、STEP2203に進む。STEP2202では、検出部がOFFの場合は、STEP2204に進み、表示部1705の警告表示を非表示にする。STEP2203では、「GPS受信範囲に手がかかっていませんか？GPS受信中です。受信範囲を手やもので覆わないで下さい。」と警告表示を行う。STEP2203、STEP2204の処理が終わったら、STEP2201に戻り、GPS受信中であるか調べる。表示部1705に警告表示を行うことによって、ユーザーにGPS受信中であることを知らせることができる。
【０１４４】
また、バッジ1801上に、 GPS受信部1724が、バッジの下に配置されていることを示す表示を行う。これによって、ユーザーが、GPS受信部1724の位置を把握することができる。GPSが配置されている表示と併せて、受信中に、バッジの上に、ユーザーの手が触れないような警告を表示することによって、GPS受信中に、ユーザーがGPS受信部1724の上から、自主的に、手を退避することを促すことができ、人体からのノイズの影響によって、受信精度が低下することを防げる。GPS受信時には、表示部1705に、GPS受信中であることと、バッジ上から手を退避するよう促す警告を発してもよい。これによって、より確実に、ユーザーの手を受信範囲から退避させ、人体からのノイズの影響を軽減することができる。
【０１４５】
このように、本実施例の撮像装置では、デザインを損なうことなく、電気的接続が容易で、ユーザーにGPS受信部の位置がわかりやすく、高い確率でGPSから位置、時間情報を取得することが可能となる。
【符号の説明】
【０１４６】
100  ビデオカメラ本体
101  レンズ
102  撮像部
103  カメラ信号処理部
104  圧縮伸張処理部
105  表示部
106  記録再生処理部
107  カード制御部
108  大容量内部メモリ制御部
109  マイクロフォン
110  音声信号処理部
111  メモリ
112  メモリ制御部
113  CPU
114  操作部
115  デジタルI/F
116  入出力部
117  電源制御部
118  データバス
119  メモリーカード
120  大容量内部メモリ
121  外部装置
122  外部装置
123  バッテリ
124  GPS受信部
125  GPS信号処理部
201  バッジ
202  上部外装カバー
401  基板
600  ビデオカメラ本体
601  レンズ
602  撮像部
603  カメラ信号処理部
604  圧縮伸張処理部
605  表示部
606  記録再生処理部
607  カード制御部
608  大容量内部メモリ制御部
609  マイクロフォン
610  音声信号処理部
611  メモリ
612  メモリ制御部
613  CPU
614  操作部
615  デジタルI/F
616  入出力部
617  電源制御部
618  データバス
619  メモリーカード
620  大容量内部メモリ
621  外部装置
622  外部装置
623  バッテリ
624  GPS受信部
625  GPS信号処理部
701  バッジ
701a  突出部
702  上部外装カバー
901  基板
1100  ビデオカメラ本体
1101  レンズ
1102  撮像部
1103  カメラ信号処理部
1104  圧縮伸張処理部
1105  表示部
1106  記録再生処理部
1107  カード制御部
1108  大容量内部メモリ制御部
1109  マイクロフォン
1110  音声信号処理部
1111  メモリ
1112  メモリ制御部
1113  CPU
1114  操作部
1115  デジタルI/F
1116  入出力部
1117  電源制御部
1118  データバス
1119  メモリーカード
1120  大容量内部メモリ
1121  外部装置
1122  外部装置
1123  バッテリ
1124  GPS受信部
1125  GPS信号処理部
1126  発光部
1201  バッジ
1201a  導光部
1202  上部外装カバー
1401  基板
1700  ビデオカメラ本体
1701  レンズ
1702  撮像部
1703  カメラ信号処理部
1704  圧縮伸張処理部
1705  表示部
1706  記録再生処理部
1707  カード制御部
1708  大容量内部メモリ制御部
1709  マイクロフォン
1710  音声信号処理部
1711  メモリ
1712  メモリ制御部
1713  CPU
1714  操作部
1715  デジタルI/F
1716  入出力部
1717  電源制御部
1718  データバス
1719  メモリーカード
1720  大容量内部メモリ
1721  外部装置
1722  外部装置
1723  バッテリ
1724  GPS受信部
1725  GPS信号処理部
1726  検出部
1801  バッジ
1801a  SW操作部
1802  上部外装カバー
2001  基板
【図１】
2011071740.tif 000003
【図２】
2011071740.tif 000004
【図３】
2011071740.tif 000005
【図４】
2011071740.tif 000006
【図５】
2011071740.tif 000007
【図６】
2011071740.tif 000008
【図７】
2011071740.tif 000009
【図８】
2011071740.tif 000010
【図９】
2011071740.tif 000011
【図１０】
2011071740.tif 000012
【図１１】
2011071740.tif 000013
【図１２】
2011071740.tif 000014
【図１３】
2011071740.tif 000015
【図１４】
2011071740.tif 000016
【図１５】
2011071740.tif 000017
【図１６】
2011071740.tif 000018
【図１７】
2011071740.tif 000019
【図１８】
2011071740.tif 000020
【図１９】
2011071740.tif 000021
【図２０】
2011071740.tif 000022
【図２１】
2011071740.tif 000023
【図２２】
2011071740.tif 000024